(57)【要約】      （修正有）【課題】小型、軽量で運搬しやすく、傾斜地形での打球練習機会を創出する、折り畳み式ゴルフ傾斜練習マットを提供する。【解決手段】軽量化（従来比  約−２５％）と強度維持を同時実現する為、軽量のポリスチレンと、強化ＥＶＡのハイブリッド構造（貼り合わせ）とし、芯部材には、合成樹脂素材の１種で気泡を含ませ軽量化に貢献する４０倍発泡のポリスチレンを使用し、更に表面部には強化ＥＶＡを貼り合わせすることで強度と柔軟性と軽量化を実現し、コンパクト化を実現する為に折り畳み構造と性能維持を両立させる構造であり、折り畳んだ際に、人工芝の表面に皺や段差の出ないように、又は、裏面側の強度を補強する為、人工芝の裏面側に一定幅の補強材として強化不織布を貼り合わせる構造とし、補強材は一定幅のバンド構造とすることで柔軟な開閉をするゴルフ用傾斜練習台。【選択図】図２
0003233798.tif 000002
【実用新案登録請求の範囲】
【請求項１】
軽量化（従来品比  約▲２５％）と強度維持を同時実現する為、軽量のポリスチレンと強化ＥＶＡのハイブリッド構造（貼り合わせ）とする。
具体的には、芯部材には、合成樹脂素材の１種で気泡を含ませ軽量化に貢献する４０倍発泡のポリスチレンを使用、更に表面部には強化ＥＶＡを貼り合わせすることで強度と柔軟性と軽量化を同時実現する構造とする。
【請求項２】
コンパクト化を実現する為に折り畳み構造と性能維持を両立させる構造が必要である。折り畳んだ際に、人工芝の表面に皺や段差が出ないように、又裏面側の強度を補強する為、人工芝の裏面側に一定幅の補強材として強化不織布を貼り合わせる構造とした。又補強材は一定幅のバンド構造とすることで柔軟な開閉をする構造としている。
【請求項３】
折り畳んだ後、持ち運びし易くする為、折り畳んだ際には、直方体となるように設計し、持ち運びし易い構造とした。
折り畳んだ際のサイズは、約１２０ｍｍ程度Ｘ５００ｍｍ程度Ｘ１０００ｍｍ程度と車に最も入れやすいサイズを工夫している。
尚折り畳んだ上下部分のずれ防止の為、マジックテープで固定する。
【考案の詳細な説明】
【技術分野】
【０００１】  本考案は、ゴルフ場のラフやフェアウェーの傾斜部で安定的打球を実現すべく、自宅庭・ゴルフ練習場等で人工的に傾斜部を持つ練習台設置し、傾斜地形での打球練習機会を創出する傾斜練習台に関する。
ものである。
【背景技術】
【０００２】  従来ゴルフ練習場に重量的に重く、移動困難な傾斜練習台はあったが方向を変えることは難しく、使い勝手は悪く、又別の場所で使用する為に手持ちで移動する事は極めて難しかった。【０００３】  従来の傾斜練習台は、持ち運ぶ事を想定していないため、タテ１ｍＸヨコ１ｍ程度の大きさがあり、車のトランクに収納して困難であった。【０００４】  傾斜練習台を折り曲げコンパクトにして片手で持ち運ぶ発想がなかった為、両手で抱えて持ち運ぶことができる範囲のみ移動が可能であった。
【考案の概要】
【考案が解決しようとする課題】
【０００５】＜課題の具体的な項目＞
▲１▼持ち運びが容易な重さにしたい。
▲２▼持ち運びし易い様にコンパクトなサイズにしたい。
▲３▼打球面をゴルフ場のラフやフェアウェーのようにしたい。
▲４▼前下り、前上がり、左下り、左上がり等容易に方向変えたい
▲５▼人工芝へのクラブの引っ掛かり等をなくしたい。
▲６▼運搬時、車に積んで移動できるようにした。
▲７▼汚れた時に汚れを落としやすいようにしたい。
【課題を解決するための手段】
【０００６】  軽量化（従来品比  約▲２５％）と強度維持を同時実現する為、軽量のポリスチレンと強化ＥＶＡのハイブリッド構造（貼り合わせ）とする。
具体的には、芯部材には、合成樹脂素材の１種で気泡を含ませ軽量化に貢献する４０倍発泡のポリスチレンを使用、更に表面部には強化ＥＶＡを貼り合わせすることで強度と柔軟性と軽量化を同時実現する構造とする。
コンパクト化を実現する為に折り畳み構造と性能維持の構造が必要である。折り畳んだ際に、人工芝の表面に皺や段差が出ないように、又裏面側の強度を補強する為、人工芝の裏面側に一定幅の補強材として強化不織布を貼り合わせる構造とした。又補強材は一定幅のバンド構造とすることで柔軟な開閉をする構造としている。
折り畳んだ後、持ち運びし易くする為、折り畳んだ際には、直方体となるように設計し、持ち運びし易い構造とした。
折り畳んだ際のサイズは、約１２０ｍｍ程度Ｘ５００ｍｍ程度Ｘ１０００ｍｍ程度と車に最も入れやすいサイズを工夫している。
尚折り畳んだ上下部分のずれ防止の為、マジックテープで固定する。
【考案の効果】
【０００７】考案による具体的な効果
・持ち運びが容易な重さになった（５ｋｇ程度）。
・折り畳み時、持ち運びし易い様にコンパクトなサイズになった。
・練習時にゴルフ場のラフやフェアウェーの傾斜をイメージした練習ができる。
・軽量の為、前下り、前上がり、左下り、左上がり等に片手で容易に方向を変えることが可能となった。
・折り畳み部の構造で人工芝へのクラブの引っ掛かり等をなくなった。
・運搬時、車のトランクに積んで移動できるようなった。
【図面の簡単な説明】
【０００８】
【図１】傾斜練習台使用時の断面図である。
【図２】傾斜練習台の折り畳み部分断面部及びその拡大図である。
【図３】傾斜練習台折り畳み、マジックテープで固定した後の形状である。
【本案を実施する為の形態】
【０００９】  傾斜練習台を移動する際には持ち運びできる様折り畳み構造とした。また軽量で、タフな構造とする為芯材には合成樹脂材料の一種で気泡を含ませた４０倍の発泡ポリスチレンを使用して軽量化を実現、更に表面にＥＶＡフォームを貼る事で強度性と柔軟性を増す構造を実現した。
【実施例】
【００１０】
【実施例１】ゴルフ練習場でゴルフ場のラフやフェアウェーの傾斜を想定し、実際のコースのような感覚で練習が可能となる。
【実施例２】自宅庭にネットを張った練習場で対象品を設置することでゴルフ練習場の傾斜でのスウィングの練習が可能となる。
【図１】
0003233798.tif 000003
【図２】
0003233798.tif 000004
【図３】
0003233798.tif 000005
【手続補正書】
【提出日】令和3年5月21日(2021.5.21)
【手続補正１】
【補正対象書類名】実用新案登録請求の範囲
【補正対象項目名】全文
【補正方法】変更
【補正の内容】
【実用新案登録請求の範囲】
【請求項１】
軽量化（従来比  約▲２５％）と強度維持を同時実現する為、軽量のポリスチレンと、強化ＥＶＡのハイブリッド構造（貼り合わせ）とし、芯部材には、合成樹脂素材の１種で気泡を含ませ軽量化に貢献する４０倍発泡のポリスチレンを使用し、更に表面部には強化ＥＶＡを貼り合わせすることで強度と柔軟性と軽量化を同時実現する構造とすることを特徴とするゴルフ用傾斜練習台。
【請求項２】
コンパクト化を実現する為に折り畳み構造と性能維持を両立させる構造であり、折り畳んだ際に、人工芝の表面に皺や段差の出ないように、又は、裏面側の強度を補強する為、人工芝の裏面側に一定幅の補強材として強化不織布を貼り合わせる構造とし、補強材は一定幅のバンド構造とすることで柔軟な開閉をする構造としていることしていることを特徴とするゴルフ用傾斜練習台。
【請求項３】
折り畳んだ後、持ち運びし易くする為、折り畳んだ際には、直方体にとなり、持ち運びし易い構造とし、折り畳んだ際のサイズは、約１２０ｍｍ程度Ｘ５００ｍｍ程度Ｘ１０００ｍｍ程度と車に最も入れやすいサイズであり、折り畳んだ上下部分のずれ防止の為、面ファスナーで固定したことを特徴とするゴルフ傾斜練習台。